(57)【要約】【課題】高温でアイロン掛けを行っても合成樹脂製の形状保持部材が変形を起こしにくい、合成樹脂製の形状保持部材を配設したシャツを提供すること。【解決手段】合成樹脂製の形状保持部材としてのワイヤ３を配設したシャツ１において、ワイヤ３を耐熱繊維製の布２に挟んだ状態で、シャツ１を構成する布地１１、１２間に配設する。【選択図】図１
2014062341.tif 000002
【特許請求の範囲】
【請求項１】
合成樹脂製の形状保持部材を配設したシャツにおいて、前記形状保持部材を耐熱繊維製の布に挟んだ状態で、シャツを構成する布地間に配設したことを特徴とするシャツ。
【請求項２】
前記耐熱繊維が、メタ系アラミド繊維であることを特徴とする請求項１記載のシャツ。
【請求項３】
前記合成樹脂製の形状保持部材を挟んだ耐熱繊維製の布を、衿羽根、衿台、カフス及び前立ての少なくとも１箇所に配設したことを特徴とする請求項１記載のシャツ。
【発明の詳細な説明】
【技術分野】
【０００１】
本発明は、シャツに関し、特に、合成樹脂製の形状保持部材を配設したシャツに関するものである。
【背景技術】
【０００２】
従来、シャツの外観形状が崩れることを防止したり、衿等を任意の形状に保持することができるように、シャツを構成する布地間に形状保持用の金属製のワイヤを配設することが行われている。
【０００３】
ところで、素材に金属を用いたワイヤは、錆の発生や金属混入の検知を自動化できないという問題があるため、素材に合成樹脂を用いたワイヤが用いられるようになってきている（特許文献１参照。）。
【先行技術文献】
【特許文献】
【０００４】
【特許文献１】特許第３５８２８５４号公報
【発明の概要】
【発明が解決しようとする課題】
【０００５】
ところで、素材に合成樹脂を用いたワイヤは、錆が発生することがなく、また、金属混入の検知を自動化できる利点を有する反面、高温でアイロン掛けを行うとワイヤが変形を起こし、シャツに皺が発生したり、シャツの形状保持機能が損なわれるという問題があった。
【０００６】
本発明は、上記従来の形状保持用の合成樹脂製のワイヤを用いたシャツが有する問題点に鑑み、高温でアイロン掛けを行っても合成樹脂製の形状保持部材が変形を起こしにくい、合成樹脂製の形状保持部材を配設したシャツを提供することを目的とする。
【課題を解決するための手段】
【０００７】
上記目的を達成するため、本発明の合成樹脂製の形状保持部材を配設したシャツにおいて、前記形状保持部材を耐熱繊維製の布に挟んだ状態で、シャツを構成する布地間に配設したことを特徴とする。
【０００８】
この場合において、前記耐熱繊維に、メタ系アラミド繊維を用いることができる。
【０００９】
また、前記合成樹脂製の形状保持部材を挟んだ耐熱繊維製の布を、衿羽根、衿台、カフス及び前立ての少なくとも１箇所に配設することができる。
【発明の効果】
【００１０】
本発明のシャツによれば、形状保持部材の素材に合成樹脂を用いているため、錆が発生することがなく、また、金属混入の検知を自動化できる利点を有することに加え、形状保持部材を耐熱繊維製の布に挟んだ状態で、シャツを構成する布地間に配設することにより、高温でアイロン掛けを行っても合成樹脂製の形状保持部材が変形（収縮）を起こしにくく、形状保持部材の変形によりシャツに皺が発生したり、合成樹脂製の形状保持部材の形状保持機能が損なわれることを防止することができる。
【００１１】
また、前記耐熱繊維に、メタ系アラミド繊維を用いることにより、メタ系アラミド繊維が有する優れた耐熱性により、合成樹脂製の形状保持部材の変形をより確実に防止することができる。
【００１２】
また、前記形状保持部材を、衿羽根、衿台、カフス及び前立ての少なくとも１箇所に配設することにより、シャツの形状保持部材を配設した箇所を任意の形状に保持することができるようにすることができる。
【図面の簡単な説明】
【００１３】
【図１】本発明のシャツの一実施例を示し、（ａ）シャツの正面図、（ｂ）は要部の断面図である。
【図２】同シャツの合成樹脂製の形状保持部材を配設した箇所を示す要部の説明図である。
【発明を実施するための形態】
【００１４】
以下、本発明のシャツの実施の形態を、図面に基づいて説明する。
【実施例１】
【００１５】
図１〜図２に、本発明のシャツの一実施例を示す。
このシャツは、合成樹脂製の形状保持部材としてのワイヤ３を配設したシャツ１において、ワイヤ３を耐熱繊維製の布２に挟んだ状態で、シャツ１を構成する布地１１、１２間に配設するようにしたものである。
【００１６】
より具体的には、例えば、図１（ｂ）の断面図に示すように、シャツ１を構成する表側の布地１１（表側の布地１１の裏面側には、芯テープ１３が熱融着されている。）と、裏側の布地１２間に、耐熱繊維製の布２を折り畳み、その間にワイヤ３を挟んで保持した状態にしたものを配設するようにしている。
ここで、耐熱繊維製の布２の折り畳み方は、二つ折りのほか、図１（ｂ）の断面図に示すように、テープ状の素材をループ状に幾重かに折り畳み、この折り曲げた布２のうち裏側の布地１２側の布２ａの内側にワイヤ３を配置することにより、表側の布地１１側からアイロン掛けをした際に、熱がワイヤ３により伝達しにくいようにしている。
【００１７】
合成樹脂製の形状保持部材としてのワイヤ３には、ポリエチレン樹脂製のワイヤ（具体的には、例えば、三井化学社製「テクノロート」（登録商標）Ｗ３００（直径：０．６７ｍｍ））を好適に用いることができる。
なお、ワイヤの線径は、上記のものに限定されず、柔らかい感触を得るためには、細い線径のワイヤを、堅い感触を得るためには、太い線径のワイヤを、それぞれ使用することができる。
このポリエチレン樹脂製のワイヤは、ポリエチレン樹脂を溶解、押し出し後、高延伸することによって塑性変形能力を持たせたもので、金属製のワイヤのように容易に変形させることができるとともに、高い形状保持性を有している。
【００１８】
ここで、合成樹脂製の形状保持部材には、ポリエチレン樹脂製のワイヤ単体（断面形状は、一般的な、円形のもののほか、矩形、帯状等、任意の形状のものを用いることができる。）のほか、ポリエチレン樹脂製のワイヤを１本又は複数本、布地テープに織り込むようにして配設したテープ状のものや金属線を合成樹脂でコーティングしたものを用いることもでき、本発明は、これらを排除するものでない。
【００１９】
耐熱繊維製の布２には、優れた耐熱性を有するメタ系アラミド繊維製の織布（具体的には、例えば、デュポン社製「ノーメックス」（登録商標））を好適に用いることができる。
この布２を構成する織布には、シャツ１を構成する布地１１、１２との接触面積が少なく、アイロン掛けをした際に熱伝達しにくい、目の粗い織布を用いることが好ましい。
【００２０】
合成樹脂製のワイヤ３を挟んだ耐熱繊維製の布２は、本実施例においては、シャツ１の衿羽根１Ａ、衿台１Ｂ、カフス１Ｃ及び前立て（表前立て１Ｄ、裏前立て１Ｅ）に配設するようにしたが、必要に応じて、これらのうちの少なくとも１箇所に配設するようにすることができる。
これにより、シャツ１のワイヤ３を配設した箇所を任意の形状に保持することができるようにすることができる。
【００２１】
このシャツ１によれば、形状保持部材としてのワイヤ３（上記の他の形態の形状保持部材も同様。）の素材に合成樹脂を用いているため、錆が発生することがなく、また、金属混入の検知を自動化できる（ワイヤ３に磁性金属線を合成樹脂でコーティングしたものを用いる場合を除く。）利点を有することに加え、ワイヤ３を耐熱繊維製の布２に挟んだ状態で、シャツ１を構成する布地１１、１２間に配設することにより、高温でアイロン掛けを行ってもワイヤ３が変形（収縮）を起こしにくく、ワイヤ３の変形によりシャツ１に皺が発生したり、ワイヤ３の形状保持機能が損なわれることを防止することができる。
【００２２】
以上、本発明のシャツについて、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明のシャツは、高温でアイロン掛けを行っても合成樹脂製の形状保持部材が変形を起こしにくい特性を有していることから、ドレスシャツを始めとするワイシャツ、ブラウス等のシャツの用途に広く適用することができる。
【符号の説明】
【００２４】
１    シャツ
１Ａ  衿羽根
１Ｂ  衿台
１Ｃ  カフス
１Ｄ  表前立て
１Ｅ  裏前立て
１１  表側の布地
１２  裏側の布地
１３  芯テープ
２    耐熱繊維製の布
３    ワイヤ（合成樹脂製の形状保持部材）
【図１】
2014062341.tif 000003
【図２】
2014062341.tif 000004